(57)【要約】【課題】床面に対する穴あけ加工を不要とし、かつパネル側面への露出を防止してパネルの美観を向上させ得る間仕切りパネルの丸落しを提供する。【解決手段】複数枚のパネルを上部レール及び下部レール３ａ，３ｂに沿って移動可能に支持し、パネルの少なくとも１枚には、該パネルの移動を阻止する丸落し７を設けた間仕切りパネルにおいて、下部レール３ａを溝部と該溝部両側の補助部１９とで構成し、補助部１９に丸落し７の受け坪２１を設け、丸落し７をパネルの小口面から操作可能とするとともに、丸落し７のピン１４をパネルの下縁から下降させて受け坪２１に係合可能とした。【選択図】        図３
2004232400.tif 000002
【特許請求の範囲】
【請求項１】
複数枚のパネルを上部レール及び下部レールに沿って移動可能に支持し、前記パネルの少なくとも１枚には、該パネルの移動を阻止する丸落しを設けた間仕切りパネルにおいて、
前記下部レールを溝部と該溝部両側の補助部とで構成し、前記補助部に前記丸落しの受け坪を設け、前記丸落しを前記パネルの小口面から操作可能とするとともに、前記丸落しのピンを前記パネルの下縁から下降させて前記受け坪に係合可能としたことを特徴とする間仕切りパネル。
【請求項２】
前記補助部は、一体に形成された複数本の下部レールの中間部とし、該中間部に前記受け坪を取着したことを特徴とする請求項１記載の間仕切りパネル。
【請求項３】
前記補助部には、前記ピンの移動軌跡を示す表示溝を設け、前記丸落しには前記ピンの中心を示す表示部を設けたことを特徴とする請求項１または２記載の間仕切りパネル。
【請求項４】
前記表示部は、前記ピンの中心線上に位置する山形の頂部で構成したことを特徴とする請求項３記載の間仕切りパネル。
【請求項５】
前記補助部は、下部レールの溝部の両側に取着される補助レールとし、該補助レールに前記受け坪を設けたことを特徴とする請求項１，３又は４記載の間仕切りパネル。
【発明の詳細な説明】
【０００１】
【発明の属する技術分野】
この発明は、パネルを床面に固定するための丸落しを備えた間仕切りパネルに関するものである。
【０００２】
【従来の技術】
従来、室内空間を適宜に区画する間仕切りパネルの一種類として、天井面に設けられる上部レール及び床面に設けられる下部レールに沿って複数枚のパネルを引き出し、あるいは畳み込み可能としたものがある。
【０００３】
このような間仕切りパネルでは、各パネルを引き出して全閉状態とした状態で、例えば先頭パネルを床面に固定することにより、各パネルの移動を阻止する丸落しが備えられている。
【０００４】
この丸落しは、パネルの側面端部に設けられるもの、あるいはパネルの端面すなわち小口面下部に設けられるものがある。
特許文献１には、パネルの側面に設けた丸落しが開示されている。
【０００５】
【特許文献１】
特公平６−８５８７
【０００６】
【発明が解決しようとする課題】
特許文献１に開示されるように、丸落しをパネルの側面に取着する構成では、その丸落しがパネル側面に露出されるため、美観上好ましくない。
【０００７】
また、丸落しをパネル側面に設ける構成では、丸落しの受け坪を下部レールに取着することができない場合があり、このような場合には床面に受け坪を取着する必要がある。
【０００８】
ところが、床面に受け坪を取着するには、床面に穴あけ加工を施す必要がある。また、床面の下地がコンクリート等の硬い材質である場合には、穴あけ加工が煩雑となるという問題点がある。
【０００９】
丸落しをパネルの小口面に取着する場合は、下部レール及びパネルを設置した後に、受け坪を取着するための穴あけ加工を下部レールに施す必要がある。
ところが、パネルの小口面に設けられる丸落しは、操作部のみが小口面に露出され、丸落しはパネル内に収納されている。従って、受け坪を取着するための穴あけ位置を特定し難いという問題点がある。また、下部レールの下地が固い材質である場合には、穴あけ加工が煩雑となる。
【００１０】
この発明の目的は、床面に対する穴あけ加工を不要とし、かつパネル側面への露出を防止してパネルの美観を向上させ得る間仕切りパネルの丸落しを提供することにある。
【００１１】
【課題を解決するための手段】
請求項１では、複数枚のパネルを上部レール及び下部レールに沿って移動可能に支持し、前記パネルの少なくとも１枚には、該パネルの移動を阻止する丸落しを設けた間仕切りパネルにおいて、前記下部レールを溝部と該溝部両側の補助部とで構成し、前記補助部に前記丸落しの受け坪を設け、前記丸落しを前記パネルの小口面から操作可能とするとともに、前記丸落しのピンを前記パネルの下縁から下降させて前記受け坪に係合可能とした。
【００１２】
請求項２では、前記補助部は、一体に形成された複数本の下部レールの中間部とし、該中間部に前記受け坪を取着した。
請求項３では、前記補助部には、前記ピンの移動軌跡を示す表示溝を設け、前記丸落しには前記ピンの中心を示す表示部を設けた。
【００１３】
請求項４では、前記表示部は、前記ピンの中心線上に位置する山形の頂部で構成した。
請求項５では、前記補助部は、下部レールの溝部の両側に取着される補助レールとし、該補助レールに前記受け坪を設けた。
【００１４】
【発明の実施の形態】
以下、この発明を具体化した一実施の形態を図面に従って説明する。図１に示す間仕切りパネルは、パネル１ａ〜１ｄが天井面に設けられる２本の上部レール２ａ，２ｂと、床面に設けられる２本の下部レール３ａ，３ｂ（図２参照）に沿って引き違い操作可能に支持される。
【００１５】
すなわち、パネル１ａ，１ｂは、その上縁部の幅方向中央部が上部ランナー４ａ，４ｂを介して上部レール２ａに支持され、下縁部の幅方向中央部が下部ランナー５ａ，５ｂを介して下部レール３ａに支持されている。
【００１６】
同様に、パネル１ｃ，１ｄは、その上縁部の幅方向中央部が上部ランナー４ｃ，４ｄを介して上部レール２ｂに支持され、下縁部の幅方向中央部が下部ランナー５ｃ，５ｄを介して下部レール３ｂに支持されている。
【００１７】
前記パネル１ａ，１ｂは、蝶番部６ａを介して回動可能に連結され、前記パネル１ｃ，１ｄは、蝶番部６ｂを介して回動可能に連結されている。従って、パネル１ａ，１ｂ及び同１ｃ，１ｄを互いに回動させると、同パネル１ａ〜１ｄを上部レール２ａ，２ｂの一側に畳み込み可能となっている。
【００１８】
前記パネル１ｂの下縁部の一側、すなわち蝶番部６ａでパネル１ａと連結されない側には丸落し７が設けられている。
図２及び図５に示すように、パネル１ｂの縦枠の下端部には、丸落しケース８が取着されている。丸落しケース８には、ガイド部材９が上下動可能に挿通され、そのガイド部材９からパネル１ｂの小口面に操作ノブ１０が突出されている。そして、操作ノブ１０を操作することにより、ガイド部材９を縦枠に沿って昇降可能となっている。
【００１９】
前記ガイド部材９の下端にはアーム１１がネジ１２で固定されている。図４に示すように、前記アーム１１の先端部は、パネル１ｃ，１ｂ側の側面方向に向かって山形に突出され、その頂部１３はアーム１１の中心線上に位置し、パネル１ｂの側面より僅かに露出されている。
【００２０】
前記頂部１３の近傍には、アーム１１の下面から下方へ突出するピン１４が形成されている。前記ピン１４の中心は前記頂部１３と同様に、アーム１１の中心線上に位置し、その下端部は円錐状に形成されている。従って、頂部１３は前記アーム１１の中心線すなわち前記ピン１４の中心を示す表示部として作用する。
【００２１】
前記ガイド部材９の側面には、前記丸落しケース８の側面に向かって開口する収納孔１５が形成され、その収納孔１５内にはコイルスプリング１６が挿入されている。
【００２２】
また、前記収納孔１５の開口部には鋼球１７が挿入され、その鋼球１７はコイルスプリング１６により、丸落しケース８の側面に向かって付勢されている。
前記丸落しケース８の側面には、前記鋼球１７が係合する係止孔１８が形成されている。従って、図５に示すように、鋼球１７が係止孔１８に係合する状態では、ガイド部材９がほぼ丸落しケース８内に保持されるようになっている。
【００２３】
また、操作ノブ１０を下方へ押圧すれば、鋼球１７と係止孔１８との係合が解除されて、図６に示すように、ガイド部材９が下降するようになっている。
前記下部レール３ａ，３ｂは、押し出し形材により一体に形成され、図２及び図３に示すように、床面２３の切除部に嵌着されている。前記下部レール３ａ，３ｂを構成する溝部間に補助部として中間部１９が形成され、その中間部１９の上面には、２条の表示溝２０ａ，２０ｂが形成されている。
【００２４】
前記表示溝２０ａは、前記ピン１４の中心の移動軌跡下に位置し、前記表示溝２０ｂは、パネル１ｃ，１ｄに丸落しを取着した場合に対応するものである。
前記中間部１９には、前記ピン１４を係止可能とする受け坪２１が設けられる。この受け坪２１は合成樹脂で成形され、中間部１９に形成された取付孔２２に嵌着されている。
【００２５】
そして、受け坪２１の中心すなわち取付孔２２の中心は、パネル１ａ，１ｂを全閉状態まで移動させた状態における前記アーム１１の中心線と、前記表示溝２０ａとの交点に設定される。前記アーム１１の中心線は、前記頂部１３により確認可能である。
【００２６】
従って、中間部１９に受け坪２１を取着するには、パネル１ａ，１ｂを全閉位置まで移動させ、その状態でアーム１１の頂部１３と表示溝２０ａとの交点に目印をつけ、その目印を中心として取付孔２２を形成する。そして、取付孔２２に受け坪２１を嵌着する。
【００２７】
上記のように構成された間仕切りパネルでは、パネル１ａ〜１ｄを引出し操作あるいは畳み込み操作する場合は、図５に示すように、ガイド部材９を丸落しケース８内に保持した状態とする。この状態では、図２に示すように、ピン１４が下部レール３ａ，３ｂの上方に位置し、引出し操作及び畳み込み操作に影響することはない。
【００２８】
パネル１ａ〜１ｄを全閉状態まで移動させた後、操作ノブ１０を操作して、図６に示すようにガイド部材９を下方へ移動させると、図３に示すように、やがてピン１４が受け坪２１に係合する。この状態では、パネル１ａ，１ｂの回動及び移動が阻止され、パネル１ａ〜１ｄが全閉状態に保持される。
【００２９】
また、アーム１１を固定するネジ１２の頭部が下部レール３ａの開口部に係合して、パネル１ｂの回動を阻止する。
上記のように構成された間仕切りパネルの丸落し７では、次に示す作用効果を得ることができる。
（１）丸落し７がパネル１ｂの側面に露出されないので、間仕切りパネルの美観を向上させることができる。
（２）受け坪２１は、下部レール３ａ，３ｂの中間部１９に取着されるので、床面２３に穴あけ加工を施す必要はない。
（３）受け坪２１の取付位置は、表示溝２０ａと、アーム１１の山形の頂部１３とにより、容易に特定することができる。
【００３０】
上記実施の形態は、次に示すように変更することもできる。
・図７に示すように、床面２３上に両面テープで固定する露出型の下部レール３ａ，３ｂに対しても同様な受け坪２１を設けることができる。
・図７に示す下部レールが１本の場合には、下部レールの両側に補助部として取着される補助レール２４に受け坪を取着してもよい。
【００３１】
【発明の効果】
以上詳述したように、この発明は床面に対する穴あけ加工を不要とし、かつパネル側面への露出を防止してパネルの美観を向上させ得る間仕切りパネルの丸落しを提供することができる。
【図面の簡単な説明】
【図１】間仕切りパネルを示す正面図である。
【図２】丸落しを示す側面図である。
【図３】丸落しを示す側面図である。
【図４】丸落しを示す底面図である。
【図５】丸落しを示す断面図である。
【図６】丸落しを示す断面図である。
【図７】丸落しの別例を示す側面図である。
【符号の説明】
１ａ〜１ｄ      パネル
２ａ，２ｂ      上部レール
３ａ，３ｂ      下部レール
７            丸落し
１４          ピン
１９          補助部（中間部）
２１          受け坪
【図１】
2004232400.tif 000003
【図２】
2004232400.tif 000004
【図３】
2004232400.tif 000005
【図４】
2004232400.tif 000006
【図５】
2004232400.tif 000007
【図６】
2004232400.tif 000008
【図７】
2004232400.tif 000009